(57)【要約】【課題】床面上の電源プラグが跳ね上っても手などに当ることのない安全で信頼性の高い電気掃除機を得ること。【解決手段】内部に電動送風機及び電源コードが巻かれるコードリール１５が設置された掃除機本体１と、掃除機本体１に着脱可能に接続されて塵埃を吸引するホースユニット４０とを有し、掃除機本体１の外部に、コード巻取りボタン３１が収容された巻取りボタン収容部１２を設け、この巻取りボタン収容部１２にホースユニット４０の吸引パイプ４５に設けたパイプフック４７を挿入することにより、コード巻取りボタン３１が圧下されてブレーキ装置２０によるコードリール１５のロックが解除され、コードリール１５により電源コード３５を巻取るように構成した。【選択図】図２
2011239825.tif 000002
【特許請求の範囲】
【請求項１】
内部に電動送風機及び電源コードが巻かれるコードリールが設置された掃除機本体と、該掃除機本体に着脱可能に接続されて塵埃を吸引するホースユニットとを有し、
前記掃除機本体の外部に、コード巻取りボタンが収容された巻取りボタン収容部を設け、
該巻取りボタン収容部に前記ホースユニットの吸引パイプに設けたパイプフックを挿入することにより、前記コード巻取りボタンが圧下されてブレーキ装置による前記コードリールのロックが解除され、
該コードリールにより前記電源コードを巻取るように構成したことを特徴とする電気掃除機。
【請求項２】
前記巻取りボタン収容部は、前記掃除機本体から突設されて天面に前記吸引パイプのパイプフックが挿入される開口部を有する筒状に形成され、
該巻取りボタン収容部内に収容されて常時弾性体により上方に付勢された有天のコード巻取りボタンと、該コード巻取りボタンに設けられ、先端部が前記コードリールをロックするブレーキ装置のブレーキレバーと対峙する作動桿とを備えたことを特徴とする請求項１記載の電気掃除機。
【請求項３】
前記ブレーキ装置は、リールケースに設けた固定軸に回動可能に支持され、該固定軸の近傍に設けられて前記コード巻取りボタンの作動桿と対峙するブレーキレバーを有し、他方の側にブレーキローラが回転自在に支持された支持レバーと、該支持レバーを前記コードリール側に付勢して前記ブレーキローラを該コードリールに圧着する弾性体とによって構成したことを特徴とする請求項１又は２記載の電気掃除機。
【請求項４】
前記ブレーキローラは、軟質材で形成されていることを特徴とする請求項３記載の電気掃除機。
【発明の詳細な説明】
【技術分野】
【０００１】
本発明は電気掃除機に係り、より詳しくは、コード巻取り装置を備えた電気掃除機において、電源コードを巻き取る際に先端部に設けたプラグが跳ねて使用者の手などに当ることのない安全な電気掃除機に関するものである。
【背景技術】
【０００２】
コード巻取り装置を備えた電気掃除機において、電源コードを巻き取る際にコードリールが勢いよく回転するため、電源コードが巻き込まれる速度が非常に早く、そのため電源コードの先端部（電源プラグ）が床面との間で跳ねたり、あるいは敷居の段差部や障害物を乗り越える際に電源コードの先端部が急に跳ね上ったりして暴れることがあり、使用者に当ることがあって危険であった。
【０００３】
そこで、このような問題を回避すべく、コードリールの巻取りボタンをプラグ収容部から離れた位置に設けたが、このようにすると視認性が悪く、電源コードを巻取る際どこを押すのかわからないという問題が生じた。
【０００４】
このような問題を解決するために、掃除機本体に形成されたコードを引き出す出口部に電磁アクチュエーターの駆動部と連動するコードリールガイドを設けて、ある一定時間の間隔でコードとコードリールガイドが摺動したり、非接触になるようにして、コードの巻き込み速度を減速してある一定速度を超えないようにしたものがある（例えば、特許文献１参照）。
【先行技術文献】
【特許文献】
【０００５】
【特許文献１】特開平７−３９５０１号公報（第３−４頁、図１）
【発明の概要】
【発明が解決しようとする課題】
【０００６】
特許文献１の電気掃除機においては、コードを巻き込むときの速度を減速するだけなので、減速してもコードの先端部（電源プラグ）はフリー状態なので、巻き込む際の先端の暴れを完全に防止することは困難である。
【０００７】
本発明は、上記の課題を解決するためになされたもので、使用後に掃除機本体に設けた巻取りボタン収容部に、ホースユニットの吸込みパイプに設けたパイプフックを差し込むことにより、電源コードをコードリールに自動的に巻取るように構成することにより、床面上の電源プラグが跳ね上っても手などに当ることのない安全で信頼性の高い電気掃除機を提供することを目的としたものである。
【課題を解決するための手段】
【０００８】
本発明に係る電気掃除機は、内部に電動送風機及び電源コードが巻かれるコードリールが設置された掃除機本体と、該掃除機本体に着脱可能に接続されて塵埃を吸引するホースユニットとを有し、前記掃除機本体の外部に、コード巻取りボタンが収容された巻取りボタン収容部を設け、該巻取りボタン収容部に前記ホースユニットの吸引パイプに設けたパイプフックを挿入することにより、前記コード巻取りボタンが圧下されてブレーキ装置による前記コードリールのロックが解除され、該コードリールにより前記電源コードを巻取るように構成したものである。
【発明の効果】
【０００９】
本発明によれば、使用者は腰をかがめることなく簡単に電源コードを巻き取ることができ、その上コード巻取りボタンに手を触れることがないため、電源プラグが床面上で跳ね上っても手や身体に当ることがないので、使い勝手がよく、安全で信頼性の高い電気掃除機を得ることができる。
【図面の簡単な説明】
【００１０】
【図１】本発明の一実施の形態に係る電気掃除機の説明図である。
【図２】図１の掃除機本体の要部の作用説明図である。
【図３】図１の電気掃除機の斜視図である。
【図４】図３の掃除機本体の上面図である。
【図５】図４の後面図である。
【図６】図５の要部の拡大図である。
【図７】図４のＡ−Ａ断面図である。
【図８】図７のコードリールの上面図である。
【図９】図８のＢ−Ｂ断面図である。
【図１０】図４のＣ−Ｃ断面図である。
【発明を実施するための形態】
【００１１】
本発明の一実施の形態を示す図３の電気掃除機において、１は掃除機本体、４０は掃除機本体１に着脱可能に接続されたホースユニットである。なお、本実施の形態においては、サイクロン方式の掃除機本体１を用いた場合を示してある。
【００１２】
掃除機本体１において、２はサイクロン分離装置、３は吸引風路、４は排気風路（図４参照）、５は吸込み口、６は後部側の両側に設けられた後車輪で、底部の前面側には前車輪７（図５参照）が設けられている。なお、掃除機本体１内には電動送風機が収容された電動送風機室（図示せず）、後述のコードリール１５が収容されたコードリール室１４（図７参照）が設けられている。
【００１３】
ホースユニット４０は、一端に掃除機本体１の吸込み口５に着脱可能に接続される接続口４２を有し、他端に操作部４４が設けられた手元ハンドル４３が接続されたホース４１、手元ハンドル４３に着脱可能に連結された吸引パイプ４５、吸引パイプ４５に着脱可能に接続された床用吸込み具４６からなり、吸引パイプ４５の背面側の下方には、ほぼＬ字状のパイプフック４７が設けられている。
【００１４】
掃除機本体１には、図４〜図７に示すように、外ケースの後面側の一方の側に片寄って、電源プラグ３６を収容するプラグ収容部１０が設けられている。また、このプラグ収容部１０に燐接して、コード巻取りボタン３１が収容された筒状の巻取りボタン収容部１２が設けられており、その天面にはホースユニット４０の吸引パイプ４５に設けたパイプフック４７が差し込まれる開口部１３が形成されている。１４はプラグ収容部１０の斜め下方に設けられて、コードリール１５が収容されるコードリール室である。
【００１５】
コードリール室１４に収容されたコードリール１５は、図８、図９に示すように、コードリールケース１６に軸１７によって回転自在に支持されたコード巻取り枠１８を有し、その中心部には、内部にコード巻取り枠１８に常時矢印ａ方向の回転力を付与するゼンマイを備えたゼンマイ室１９が設けられている（なお、以下の説明では、ゼンマイを１９と記すことがある）。
【００１６】
２０はコードリール１５のブレーキ装置で、上部がコ字状に形成されて長穴２３を有し、下部に外方（コード巻取り枠１８から離れる方向）に突出するブレーキレバー２４が設けられて、下部がコードリールケース１６に設けた固定軸２１に回動可能に軸止された支持レバー２２を有し、支持レバー２２の上部のコ字状部には、長穴２３に支持された回転軸２５に設けた例えばゴムの如き軟質材からなるブレーキローラ２６が収容されている。
【００１７】
２７はコードリールケース１６と支持レバー２２との間に介装された例えばコイルばねの如き弾性体で、支持レバー２２を固定軸２１を中心に常時矢印ｃ方向に付勢しており、これにより、ブレーキローラ２６はコード巻取り枠１８の外周に圧接されている。
【００１８】
そして、コード巻取り枠１８が矢印ａ方向に回転すると、ブレーキローラ２６が矢印ｄ方向に回転してこれを構成する軟質材がコード巻取り枠１８の外周に食い込んでブレーキがかかり、コード巻取り枠１８をロックして回転を阻止する。
また、コード巻取り枠１８が矢印ｂ方向に回転すると、ブレーキローラ２６が矢印ｅ方向に回転し、コード巻取り枠１８から離脱して、ロックが解除される。
【００１９】
３５は一端がコード巻取り枠１８に固定された電源コード、３６は電源コード３５の他端に設けた電源プラグで、その一部はプラグ収容部１０の奥壁１１に設けた貫通穴１１ａからコードリール室１４内に挿入され（図７参照）、段部３７が奥壁１１に当接して先端部側はプラグ収容室１０内に保持される。
【００２０】
巻取りボタン収容部１２内には、図１０に示すように、有天筒状のコード巻取りボタン３１が収容されており、このコード巻取りボタン３１は、掃除機本体１とコードリール室１４との間に設けられた仕切り板３０との間に介装された、例えばコイルばねの如き弾性体３２により常時上方に付勢され、下端部に設けたフランジが巻取りボタン収容部１２の下端部に係止して保持され、その天面が開口部１３に臨んでいる。
３３はコード巻取りボタン３１に設けられた作動桿で、仕切り板３０に設けた貫通穴３０ａに挿通され、下端部が支持レバー２２のブレーキレバー２４と対峙している。
【００２１】
上記のように構成したコード巻取りボタン３１は、常時は弾性体３２に付勢されて巻取りボタン収容部１２の上方に位置し、これに設けた作動桿３３の下端部は支持レバー２２のブレーキレバー２４に近接し又は軽く接触している。
このため、支持レバー２２は弾性体２７に付勢されて、固定軸２１を中心に矢印ｃ方向に回動し、ブレーキローラ２６がコード巻取り枠１８の外周に圧着されてブレーキを掛け、コード巻取り枠１８をロックして矢印ａ方向（電源コード３５の巻取り方向）への回転を阻止している。
【００２２】
この状態でコード巻取りボタン３１を圧下すると、これと一体化された作動桿３３が下降してブレーキレバー２４を押圧し、支持レバー２２を固定軸２１を中心に反矢印ｃ方向に回動させ、ブレーキローラ２６をコード巻取り枠１８から離脱させ、ロックを解除する。これにより、コード巻取り枠１８はゼンマイ１９に駆動されて矢印ａ方向に回転する。
【００２３】
次に、上記のように構成した本発明の作用を説明する。
掃除のため、プラグ収容部１０に収容された電源プラグ３６を持って電源コード３５を引き出す。これにより、電源コード３５が巻かれたコード巻取り枠１８が、図９に示すように矢印ｂ方向に回転し、ブレーキローラ２６によるロックが解除されて回転を続けるので、電源コード３５を引き出すことができる。
【００２４】
電源コード３５の引き出しを中止すると、コード巻取り枠１８はゼンマイ１９に駆動されて矢印ａ方向に回転しようとするが、ブレーキローラ２６の軟質材がコード巻取り枠１８の外周に食い込んでロックし、電源コード３５はその位置に保持される。
この状態で電源プラグ３６を商用電源のソケットに接続し、電動送風機を駆動して掃除を行う。
【００２５】
掃除が終ったときは、電源プラグ３６をコンセントから引き抜き、図１に示すように、ホースユニット４０の吸引パイプ４５に設けたパイプフック４７を、掃除機本体１に設けた巻取りボタン収容部１２の開口部１３に差し込み、床用吸込み具４６を下にして吸引パイプ４５を立てかける。
【００２６】
これにより、図２に示すように、コード巻取りボタン３１がパイプフック４７により圧下され、作動桿３３が支持レバー２２のブレーキレバー２４を圧下し、支持レバー２２を固定軸２１を中心に反矢印ｃ方向に回動させてブレーキローラ２６から離脱させ、ロックを解除する。
ロックが解除されるとコード巻取り枠１８はゼンマイ１９に駆動されて矢印ａ方向に回転し、電源コード３５を巻き取る。そして、電源プラグ３６がプラグ収容部１０内に収容され、その段部３７（図７）がプラグ収容部１０の奥壁１１に当接して停止する。
【００２７】
これにより、電源コード３５のコード巻取り枠１８への巻取りが終了する。このとき、ホースユニット４０の吸引パイプ４５に設けたパイプフック４７は、巻取りボタン収容部１２に差し込んだままでもよく、これから外してもよい。パイプフック４７を外せば、ブレーキローラ２６は再びコード巻取り枠１８をロックする。
【００２８】
上記の説明では、本発明をサイクロン方式の電気掃除機に実施した場合を示したが、これに限定するものではなく、例えば、紙パック式の電気掃除機など、他の構造の電気掃除機にも本発明を実施することができる。
また、プラグ収容部１０及び巻取りボタン収容部１２を、掃除機本体１の後面側（図示の位置）に設けた場合を示したが、他の位置に設けてもよい。
【００２９】
本発明によれば、使用者は腰をかがめることなく、ホースユニット４０の吸引パイプ４５に設けたパイプフック４７を、巻取りボタン収容部１２に差し込むだけで、電源コード３５をコードリール１５に自動的に巻取ることができ、また、コード巻取りボタン３１に手を触れることがないので、電源プラグ３６が床面から跳ね上っても手や身体に当ることがない。
【００３０】
また、巻取りボタン収容部１２に吸引パイプ４５に設けたパイプフック４７を差し込んだままで電気掃除機を格納することができるので便利であり、これらにより安全で使い勝手のよい電気掃除機を得ることができる。
【符号の説明】
【００３１】
１  掃除機本体、１０  プラグ収容部、１２  巻取りボタン収容部、１３  開口部、１５  コードリール、２０  ブレーキ装置、２１  固定軸、２２  支持レバー、２４  ブレーキレバー、２６  ブレーキローラ、２７  弾性体、３１  コード巻取りボタン、３２  弾性体、３３  作動桿、３５  電源コード、３６  電源プラグ。
【図１】
2011239825.tif 000003
【図２】
2011239825.tif 000004
【図３】
2011239825.tif 000005
【図４】
2011239825.tif 000006
【図５】
2011239825.tif 000007
【図６】
2011239825.tif 000008
【図７】
2011239825.tif 000009
【図８】
2011239825.tif 000010
【図９】
2011239825.tif 000011
【図１０】
2011239825.tif 000012